(57)【特許請求の範囲】
【請求項１】
紙板材の打ち抜き加工により、環状ランプが載置される基部の内周側に、この基部内周部分を表側に突出させてランプに内接するランプ保持部を形成するための切り込みとして、ランプ内周に沿う周方向複数の円弧状の切り込みと、この円弧状切り込みの内側部分を表側に立ち上がらせる立上り用の切り込みが連続して設けられてなることを特徴とする環状ランプ用ホルダー。
【請求項２】
請求項１記載の環状ランプ用ホルダーにおける基部内周側部分が円弧状および立上り用の切り込みによって基部表側に切起こされることにより、環状ランプが載置される基部の内周側に、ランプに内接するランプ保持部が一体に設けられてなることを特徴とする環状ランプ用ホルダー。
【請求項３】
ランプ保持部の直径が、保持される環状ランプの外径よりも小さくて内径よりも大きな寸法に設定されたことを特徴とする請求項１または２記載の環状ランプ用ホルダー。
【請求項４】
一枚の紙板に基部とランプ保持部が設けられたことを特徴とする請求項１乃至３のいずれかに記載の環状ランプ用ホルダー。
【請求項５】
環状ランプを収容しうる箱体の底板に基部とランプ保持部が設けられたことを特徴とする請求項１乃至３のいずれかに記載の環状ランプ用ホルダー。
【発明の詳細な説明】
【０００１】
【発明の属する技術分野】
本発明は環状のランプ（主として蛍光灯）を梱包して運搬、保管、販売するための環状ランプ用ホルダーに関するものである。
【０００２】
【従来の技術】
従来、環状ランプ用ホルダーとして、
（イ）図７に示すように、紙板材（通常は段ボール紙）により、表裏両面部１，２と、底面部３と、二重貼り合せ構造の側面部４，５、それに蓋６を備えた偏平な箱状に構成され、内部にランプを収容する構成のもの、
（ロ）図８に示すように、紙板材により、四角形基部７の周囲に側壁８…を立ち上げて上面が開口したホルダー本体９を構成し、同本体９内にランプＬを装入した状態で、内部が見えるように上面開口部に透明プラスチック製のカバー１０を装着して箱状に組立てたもの
が公知である。
【０００３】
【発明が解決しようとする課題】
ところが、上記（イ)(ロ）のいずれのホルダーによっても、箱内にランプを閉じ込め、周囲から拘束して保持する構成であるため、必須の構成要素が多くなる。
【０００４】
従って、材料（紙板材）の使用量も多くなり、かつ、組立も面倒となるため、材料コストおよび組立コストが高くなる。
【０００５】
しかも、ランプがホルダーと一体ではないため、運搬時にランプがホルダー内で動揺したり、開封時にランプが飛び出したりする等、ランプ保護の点で不十分であった。
【０００６】
さらに、箱状に組立てた状態でしか運搬、保管できないため、ホルダーの製造者および使用者双方で運搬、保管等のコストが高くつく。
【０００７】
そこで本発明は、必須の構成要素が少なくてすみ、しかも環状ランプの単独での動揺や脱落を確実に防止できるとともに、運搬、保管等に便利な環状ランプ用ホルダーを提供するものである。
【０００８】
【課題を解決するための手段】
請求項１の発明（組立前のホルダー）は、紙板材の打ち抜き加工により、環状ランプが載置される基部の内周側に、この基部内周部分を表側に突出させてランプに内接するランプ保持部を形成するための切り込みとして、ランプ内周に沿う周方向複数の円弧状の切り込みと、この円弧状切り込みの内側部分を表側に立ち上がらせる立上り用の切り込みが連続して設けられてなるものである。
【０００９】
請求項２の発明（組立後のホルダー）は、請求項１記載の環状ランプ用ホルダーにおける基部内周側部分が円弧状および立上り用の切り込みによって基部表側に切起こされることにより、環状ランプが載置される基部の内周側に、ランプに内接するランプ保持部が一体に設けられてなるものである。
【００１０】
請求項３の発明は、請求項１または２の構成において、ランプ保持部の直径が、保持される環状ランプの外径よりも小さくて内径よりも大きな寸法に設定されたものである。
【００１１】
請求項４の発明は、請求項１乃至３のいずれかの構成において、一枚の紙板に基部とランプ保持部が設けられたものである。
【００１２】
請求項５の発明は、請求項１乃至３のいずれかの構成において、環状ランプを収容しうる箱体の底板に基部とランプ保持部が設けられたものである。
【００１３】
上記構成によると、環状ランプをランプ保持部の外側に嵌め込むことにより、ランプに対するランプ保持部の内接力によってランプをホルダーと一体状態で保持することができる。このため、ランプ単独での動揺や脱落のおそれがない。
【００１４】
とくに、請求項３の構成によると、ランプ保持部が、ランプ断面の上半部でランプ内周に圧接するため、ランプとホルダーの一体状態がより強いものとなる。
【００１５】
しかも、
（ｉ）必須の構成要素は、ランプが載置される基部と、ランプに内接するランプ保持部のみでよい。
【００１６】
（ii）紙板材の打ち抜き加工と、切り込みに沿ったランプ保持部の切起こし操作のみによって組立てることができる。
【００１７】
このため、材料コストおよび組立コストが安くてすむ。
【００１８】
とくに、一枚の紙板に基部とランプ保持部を設けた請求項４の構成によると、使用材料が最小限に少なくてすむ。
【００１９】
一方、必要に応じて請求項５のように箱体の底板に基部とランプ保持部を設ける構成をとることもできる。
【００２０】
この場合は、同じ箱詰め方式でも、従来の箱状ホルダーのようなランプの内部での動揺や開封時の飛び出しのおそれがない。また、箱詰め方式であっても、基部とランプ保持部以外はランプの動揺防止のための要素としては必須ではなく、簡易なものですむ。
【００２１】
また、打ち抜かれた板状（請求項１のホルダー）のまま運搬、保管し、使用時に組立てればよいため、運搬、保管等のコストも低廉にできる。
【００２２】
【発明の実施の形態】
本発明の実施形態を図１〜図６によって説明する。
【００２３】
第１実施形態（図１〜図４参照）
図１にこの実施形態にかかるホルダーＡの組立前の状態（展開状態）、図２以降に組立状態をそれぞれ示している。
【００２４】
このホルダーＡは、紙板材（通常は段ボール紙）の打ち抜き加工により、環状ランプＬが載置される基部１１の内周側に、基部表側に切り起こされてランプＬに内接するランプ保持部１２が一体に連続して設けられて成っている。
【００２５】
なお、基部１１は外形が四角形（円形でもよい）に形成され、各辺の長さがランプ外径よりも大きい寸法に設定されている。
【００２６】
ランプ保持部１２を切起こすための切り込みとして、ランプ内周に沿って周方向三個所に円弧状の第１の切り込み１３…が設けられている。
【００２７】
また、立上り用の切り込みとして、第１の切り込み１３…の一端から内周側に延びる第２の切り込み１４…、この第２の切り込み１４…の先端から、第１の切り込み１３とほぼ平行（完全に平行か殆ど平行）に延びる短い円弧状の第３の切り込み１５…が連続して設けられている。
【００２８】
ここで、ランプ保持部１２の直径Ｄ１（図２参照）は、ランプＬの外径Ｄ２よりも小さくて内径Ｄ３よりも大きい寸法、すなわち、
Ｄ２＞Ｄ１＞Ｄ３
に設定されている。
【００２９】
このホルダーＡを使用するときは、図２〜図４に示すように、ランプ保持部１２を、第１〜第３の各切り込み１３，１４，１５によって裏側から表側に押し出すようにして立ち起こす。
【００３０】
このときランプ保持部１２は、第１および第３の両切り込み１３，１５に挟まれた部分（図１，２に斜線を付して示す）１２ａ…が立ち上がり、この立上りに伴い全体が周方向に少し回転して表側に起き上がる。
【００３１】
なお、上記立上り部分１２ａの長さｍ（図１参照）は、ランプＬの断面サイズに対応して設定される。
【００３２】
また、同部分１２ａが立上り易いように、紙板打ち抜きの段階で同部分１２ａの根元と頂部に折り目１６，１７（図１中に一点鎖線で示す）を形成しておいてもよい。
【００３３】
この状態で、図２，３の仮想線で示すようにランプＬをランプ保持部１２の外側に嵌め込んで基部１１に載置する。
【００３４】
こうすれば、前記Ｄ２＞Ｄ１＞Ｄ３の関係により、ランプ保持部１２の周縁部がランプＬの断面の上半部でランプＬの内周に圧接し、このランプＬに対するランプ保持部１２の内接力によりランプＬが上下、前後、左右の全方向に拘束され、ホルダーＡと一体状態で保持される。
【００３５】
この後、たとえば図４に示すようにランプＬとホルダーＡの一体物を透明なプラスチック製の袋Ｂに封入して運搬、保管、販売すればよい。
【００３６】
このように、ランプＬをホルダーＡに一体状態で保持することができるため、ランプＬが運搬時等に単独で動揺したり、取出し時に脱落したりするおそれがない。
【００３７】
しかも、必須の構成要素は、ランプＬが載置される基部１１と、ランプに内接するランプ保持部１２のみでよく、かつ、紙板材の打ち抜き加工と、切り込み１３，１４，１５に沿ったランプ保持部１２の切起こし操作のみによって組立てることができる。このため、材料コストおよび組立コストが安くてすむ。
【００３８】
また、図１に示す打ち抜かれた板状のまま運搬、保管し、使用時に組立てればよいため、運搬、保管等のコストも安くてすむ。
【００３９】
第２実施形態（図５参照）
第１実施形態との相違点のみを説明する。
【００４０】
第２実施形態のホルダーＡ´は、四周に側壁１８…を備えた上面が開口する偏平な箱状に形成され、その底壁に基部１１とランプ保持部１２が設けられている。
【００４１】
１９はこのホルダーＡ´全体を被覆する透明プラスチックシートである。
【００４２】
この構成によると、基本的に第１実施形態と同じ作用効果が得られるほか、ランプＬを四周からも保護できるため、運搬時等のランプ保護効果がより高いものとなる。
【００４３】
また、同じ箱詰め方式でも、従来の箱状ホルダーのようなランプＬの内部での動揺や開封時の飛び出しのおそれがない。また、箱詰め方式であっても、基部１１とランプ保持部１２以外はランプの動揺防止のための要素としては必須ではなく、簡易なものですむ。
【００４４】
他の実施形態
（１）上記実施形態では第１〜第３の切り込み１３，１４，１５を三組設けたが、ランプサイズ等に応じてこの切り込み１３，１４，１５を二組、または四組以上設けてもよい。
【００４５】
（２）立上り用の切り込みとして、上記両実施形態のように必ずしも第２、第３の切り込み１４，１５を設ける必要はなく、たとえば図６に示すように円弧状の第１の切り込み１３の一端から内周側に直線状（または円弧状）に延びる第２の切り込み２０を設けてもランプ保持部１２を切起こし形成することができる。
【００４６】
【発明の効果】
上記のように本発明によるときは、環状ランプが載置される基部の内周側に、切り込みによって表側に立ち上がるランプ保持部を設け、ランプをこのランプ保持部の外側に嵌め込むことにより、ランプに対するランプ保持部の内接力によってランプをホルダーと一体状態で保持することができる。このため、ランプ単独での動揺や脱落のおそれがない。
【００４７】
とくに、請求項３の発明によると、ランプ保持部が、ランプ断面の上半部でランプ内周に圧接するため、ランプとホルダーの一体状態がより強いものとなる。
【００４８】
しかも、
（ｉ）必須の構成要素は、ランプが載置される基部と、ランプに内接するランプ保持部のみでよい。
【００４９】
（ii）紙板材の打ち抜き加工と、切り込みに沿ったランプ保持部の切起こし操作のみによって組立てることができる。
【００５０】
このため、材料コストおよび組立コストが安くてすむ。
【００５１】
とくに、請求項４の発明ように一枚の紙板材によって基部とランプ保持部を構成することにより、使用材料が最小限に少なくてすむ。
【００５２】
一方、必要に応じて請求項５の発明のように箱体の底板に基部とランプ保持部を設ける構成をとることもできる。
【００５３】
この場合は、同じ箱詰め方式でも、従来の箱状ホルダーのようなランプの内部での動揺や開封時の飛び出しのおそれがない。また、箱詰め方式であっても、基部とランプ保持部以外はランプの動揺防止のための要素としては必須ではなく、簡易なものですむ。
【００５４】
また、打ち抜かれた板状（請求項１のホルダー）のまま運搬、保管し、使用時に組立てればよいため、運搬、保管等のコストも低廉にできる。
【図面の簡単な説明】
【図１】本発明の第１実施形態にかかるホルダーの組立前の平面図である。
【図２】同ホルダーを組立てた状態の平面図である。
【図３】図２のIII−III線断面図である。
【図４】同ホルダー組立状態の斜視図である。
【図５】本発明の第２実施形態にかかるホルダーの組立かつ梱包状態の一部切欠斜視図である。
【図６】本発明の他の実施形態にかかるホルダーの組立前の平面図である。
【図７】従来のホルダーを示す斜視図である。
【図８】従来の別のホルダーを示す一部切欠斜視図である。
【符号の説明】
１１  基部
１２  ランプ保持部
１３  円弧状の第１の切り込み
１４  立上り用の第２の切り込み
１５  同第３の切り込み
Ｌ  環状ランプ
Ｄ１  ランプ保持部の直径
Ｄ２  ランプの外径
Ｄ３  ランプの内径
【図１】
0003999860.tif 000002
【図２】
0003999860.tif 000003
【図３】
0003999860.tif 000004
【図４】
0003999860.tif 000005
【図５】
0003999860.tif 000006
【図６】
0003999860.tif 000007
【図７】
0003999860.tif 000008
【図８】
0003999860.tif 000009